(57)【特許請求の範囲】
【請求項１】
特に磁気共鳴誘導下の放射線治療中に、対象者の腹部領域を支えるための腹部支持部と、対象者が横臥方向に横たわることの意図される当該横臥方向と、を有する患者ベッドと共に用いるための磁気共鳴（ＭＲ）高周波（ＲＦ）アンテナ装置であって、
相対する２つの側面を有するハウジング内に封入される少なくとも１つのＭＲＲＦアンテナを有し、前記患者ベッドの上面で患者ベッド中心領域内に配置可能であるＭＲＲＦアンテナ装置において、
前記ハウジング内に封入される放射線検出装置を更に有することを特徴とする、ＭＲＲＦアンテナ装置。
【請求項２】
磁気共鳴誘導下の治療中に対象者の腹部領域を支えるための腹部支持部を有する患者ベッドであって、
前記患者ベッドの上面で患者ベッド中心領域内に配置される、請求項１に記載のＭＲＲＦアンテナ装置と、
対象者の脚を下から支えるための２つの脚支持部と、を更に有し、少なくとも１つの動作状態において、前記ＭＲＲＦアンテナ装置の各側面は、対象者の脚の各々の内側の近位にあるように提供され、
前記少なくとも１つの動作状態において、前記ＭＲＲＦアンテナ装置は、対象者の会陰の近位にあるように提供される、患者ベッド。
【請求項３】
対象者が横臥方向に沿って横たわることの意図される当該横臥方向を有し、患者ベッド側方の各々に沿って患者ベッドの前記横臥方向と平行に配置される固定部材を更に有し、前記少なくとも１つの動作状態において、固定部材の各々は、対象者の脚の一方の少なくとも外側の近位にあるように提供される、請求項２に記載の患者ベッド。
【請求項４】
前記患者ベッドの各側方に配置され、各々が前記横臥方向に対して略垂直に延びる第１誘導部材と、前記固定部材の各々に取り付けられ、前記第１誘導部材の対応する一方に沿った、前記固定部材各々が独立して横断方向に誘導される移動を可能とするために、前記第１誘導部材と係合するように提供される第１連結部材と、前記固定部材の各々を、前記第１誘導部材の前記対応する一方での少なくとも１つの横断位置でロックするための第１ロック装置と、を更に有する、請求項３に記載の患者ベッド。
【請求項５】
前記患者ベッドの少なくとも一部分に沿って配置され、前記患者ベッドの前記横臥方向と略平行に延びる第２誘導部材と、前記ＭＲＲＦアンテナ装置に配置され、前記第２誘導部材に沿った、前記ＭＲＲＦアンテナ装置の誘導された移動を可能とするために、前記第２誘導部材と係合するように提供される第２連結部材と、前記ＭＲＲＦアンテナ装置を、前記第２誘導部材での少なくとも１つの位置でロックするための第２ロック装置と、を更に有する、請求項３又は４に記載の患者ベッド。
【請求項６】
前記第２誘導部材は少なくとも１つのリセスを有し、前記第２ロック装置は、ポジティブロックの際、前記少なくとも１つのリセスと係合するように提供される、少なくとも１つの固定部材を具備する、請求項５に記載の患者ベッド。
【請求項７】
前記固定部材の一方と一体に形成されたハウジング内に封入される少なくとも１つのＭＲＲＦアンテナを有する、少なくとも第２の磁気共鳴（ＭＲ）高周波（ＲＦ）アンテナ装置を更に有する、請求項２乃至６の何れか一項に記載の患者ベッド。
【請求項８】
少なくとも１つのＭＲＲＦアンテナは、第１の動作期間中に、ＲＦ電力を送信するために、及び、前記第１の動作期間とは異なる第２の動作期間中に、磁気共鳴撮像信号を受信するために提供される、請求項１に記載のＭＲＲＦアンテナ装置。
【請求項９】
前記ハウジング内に封入される、少なくとも１つの磁気共鳴（ＭＲ）マーカを更に有する、請求項１又は８に記載のＭＲＲＦアンテナ装置。
【請求項１０】
前記ハウジングの外側に配置される、少なくとも１つの光学マーカを更に有する、請求項１、８又は９に記載のＭＲＲＦアンテナ装置。
【請求項１１】
前記ハウジングは、前記患者ベッドの上面と平行な少なくとも１つの断層面内に、前記横臥方向に伸長された楕円形の断面積を有する、請求項１、８、９又は１０に記載のＭＲＲＦアンテナ装置。
【請求項１２】
請求項１、８、９、１０又は１１に記載のＭＲＲＦアンテナ装置を少なくとも１つ有する患者ベッドを有する、磁気共鳴（ＭＲ）撮像装置によって誘導される、治療目的のために電離放射線及び超音波エネルギのうちの少なくとも１つを使用する治療システム。
【発明の詳細な説明】
【技術分野】
【０００１】
本発明は、特に磁気共鳴（ＭＲ）誘導下の放射線治療中に、対象者の腹部領域を支えるための患者ベッド、当該患者ベッドのためのＭＲ高周波（ＲＦ）アンテナ装置、及び、ＭＲ高周波（ＲＦ）アンテナ装置を有する患者ベッドを有する、ＭＲ撮像装置によって誘導される放射線治療システムに関する。
【背景技術】
【０００２】
磁気共鳴撮像装置によって誘導される治療システムの従来技術では、治療中の患者のリアルタイムのＭＲモニタリングを可能にする、統合磁気共鳴治療（ＭＲ‐Ｔ）システムが知られている。当該治療システムは、治療目的のために、電離放射線及び超音波エネルギのうちの少なくとも１つを使用し得る。
【０００３】
前立腺、子宮頸部、腎臓、及び膀胱のような腹部臓器は、放射線治療セッションの合間や放射線治療セッション中に、著しい動き又は変形を示すので、ＭＲ‐Ｔシステムのためのアプリケーションの最もあり得る分野の１つは、これら腹部臓器の治療処置である。
【０００４】
臓器及び病変の追跡が統合ＭＲ撮像の主要目的なので、臓器又は病変境界の明瞭な撮像は不可欠である。他方、治療計画の前の予備段階でそれぞれの撮像がなされるので、最大の診断上の品質は必要とされない。
【０００５】
最高の撮像品質を要求する診断上の目的のために、これらの臓器は、例えば経直腸アンテナといった、特別の局所ＭＲＲＦアンテナ（コイル）を使用して撮像される。局所ＭＲＲＦアンテナは、例えば前立腺といったターゲット領域の近接に設置され得るので、体幹コイルを用いるよりも約１０倍大きいものであり得る、著しくより良好な信号対雑音比が達成可能である。しかしながら、これら局所ＭＲＲＦアンテナ（コイル）は、並行する化学療法のために多くの場合腸症候群が起こっているとともに、数週間にわたる週数回の処置に対して頻繁な設置及び消毒を必要とする分割治療処置においては、ワークフロー及び患者快適性の観点から実用的でない。
【０００６】
表面コイルとしてデザインされたＭＲＲＦアンテナは、腔内アプリケーションのいかなる必要性もなしに、局所撮像によってより高い信号対雑音比を可能とするために知られているが、再現可能に全く同じ場所で配置されることが難しく、このことは困難な吸収補正の問題をもたらし、効率的なワークフローを妨げる恐れがある。
【０００７】
ＭＲ‐Ｔ装置に対して、ＭＲＩシステム体幹コイルを使用するＭＲ撮像は可能であるが、より低い信号対雑音比のために、臓器又は病変の描写に対して十分ではない（例えば前立腺の場合）。
【０００８】
治療処置の高い患者スループットは、効率的なワークフロー（１０〜１５分の処置セッション間隔時間）を必要とする。処置放射線量の細分化は、当該処置を２０以上の放射線セッションに分割するので、最大の患者快適性が望まれる。
【０００９】
１０〜１５分の放射線治療処置セッション間隔時間、及び２０以上の放射線セッションへの分割を考慮して、治療処置の改善された患者スループット、及び改善された患者快適性を有する、磁気共鳴（ＭＲ）誘導下の放射線治療のための手段を提供することが望まれる。
【発明の概要】
【発明が解決しようとする課題】
【００１０】
したがって、本発明の目的は、治療目的のために電離放射線及び超音波エネルギのうちの少なくとも１つを使用する、磁気共鳴（ＭＲ）誘導下の治療中に、通常は患者である対象者の腹部領域を支えるための支持部を有し、対象者が横臥方向に沿って横たわることの意図される当該横臥方向を有する、患者ベッドを提供することである。
【課題を解決するための手段】
【００１１】
患者ベッドは、相対する２つの側面を有するハウジング内に封入される少なくとも１つの磁気共鳴（ＭＲ）高周波（ＲＦ）アンテナを有し、患者ベッドの上面で患者ベッド中心領域内に配置される、少なくとも１つの磁気共鳴（ＭＲ）高周波（ＲＦ）アンテナ装置、を有する。ＭＲＲＦアンテナは、コイルタイプのデザイン又は当業者にとって適切と思われる任意の他のデザインであってよい。ハウジングは、病院又は医療センター内で適用される殺菌の必要条件を充たしながら、十分な機械的強度を提供する、任意の非磁性材料から作られてよい。
【００１２】
ＭＲＲＦアンテナ装置は、ハウジング内に封入される放射線検出装置を更に有する。放射線検出装置は、既知の場所での入射治療放射線を測定することを可能とし、これは品質保証、検証、及び文書化の目的のための、当該既知の場所での放射線に関するリアルタイムデータを提供する。好ましくは、放射線検出装置は、患者ベッドの横臥方向に対してハウジングの先頭の３分の１を包含するハウジングの部分内の位置に配置される。これにより、放射線検出装置は、対象者の内部の放射線被曝領域に近いが外側に配置され、既知の場所での漂遊放射線量を測定することによって、品質保証の目的を果たすことができる。更に、測定された放射線量を、計画データとリアルタイムに比較することを可能とし得る。計画データからの逸脱が検出された場合、放射線処置は、迅速に補正又は中断され得る。
【００１３】
更に患者ベッドは、対象者の脚を下から支えるための２つの脚支持部を有し、少なくとも１つの動作状態において、ＭＲＲＦアンテナ装置の各側面は、対象者の脚の各々の内側の近位にあるように提供され、前記少なくとも１つの動作状態において、ＭＲＲＦアンテナ装置は、対象者の会陰の近位にあるように提供される。これにより、高い信号対雑音比を有するＭＲ信号が得られると同時に、患者ベッドは操作者にとって使い易く、ＭＲＲＦアンテナのアプリケーションは対象者にとって快適である。更に、対象者の脚の各々の内側がＭＲＲＦアンテナ装置の側面の近位にあり、対象者の会陰がＭＲＲＦアンテナ装置の近位にある位置は、対象者に対するＭＲＲＦアンテナの位置決めの改善された繰返し性及び再現性を、本質的に提供し得る。
【００１４】
患者ベッドが、患者ベッド側方の各々に沿って患者ベッド横臥方向と平行に配置される固定部材を備えられ、固定部材の各々は、前記少なくとも１つの動作状態において、対象者の脚の一方の少なくとも外側の近位にあるように提供される場合に、対象者の位置の更に高い程度の繰返し性及び再現性が得られる。
【００１５】
好ましい実施形態では、患者ベッドは、患者ベッドの各側方に配置され、各々が横臥方向に対して略垂直に延びる第１誘導部材と、固定部材の各々に取り付けられ、第１誘導部材の対応する一方に沿った、固定部材各々が独立して横断方向に誘導される移動を可能とするために、第１誘導部材と係合するように提供される第１連結部材と、固定部材の各々を、第１誘導部材の対応する一方での少なくとも１つの横断位置でロックするための第１ロック装置とを更に有する。これは、速い患者の固定、及び追加の固定装置の減少又は除去すらを可能にする。原則として、患者ベッドの各側方に配置される第１誘導部材は、一体に形成されてもよい。
【００１６】
本発明の別の態様では、患者ベッドは、患者ベッドの少なくとも一部分に沿って配置され、患者ベッド横臥方向と略平行に延びる第２誘導部材と、ＭＲＲＦアンテナ装置に配置され、第２誘導部材に沿った、ＭＲＲＦアンテナ装置の誘導された移動を可能とするために、第２誘導部材と係合するように提供される第２連結部材と、ＭＲＲＦアンテナ装置を、第２誘導部材での少なくとも１つの位置でロックするための第２ロック装置と、を更に有する。これにより、ＭＲＲＦアンテナ装置は第２誘導部材に沿った任意の位置に調節されることができ、患者の会陰にごく近接したＭＲＲＦアンテナ装置の緊密なフィット及び高い信号対雑音比が達成され得る。ロック装置は、ねじ若しくはロッキングハンドルのような非ポジティブロック機構、又は当業者にとって適切と思われる任意の他の機構を含んでよい。
【００１７】
別の実施形態では、患者ベッドの第２誘導部材は少なくとも１つのリセス（くぼみ）を有し、第２ロック装置は、ポジティブロックの際、前記少なくとも１つのリセスと係合するように提供される、少なくとも１つの固定部材を具備する。このことは、速くて信頼性があり、かつ繰返し性のある、対象者の会陰に対するＭＲＲＦアンテナ装置の位置決めを可能にする。加えて、第２誘導部材は、ＭＲＲＦアンテナ装置の位置決めの信頼性を強化するために、少なくとも１つのリセスとのポジティブロックの位置で１つの固定部材をロックするための、追加の非ポジティブロック機構を備えられてもよい。
【００１８】
更に別の実施形態では、患者ベッドは、固定部材の一方と一体に形成されたハウジング内に封入される少なくとも１つのＭＲＲＦアンテナを有する、少なくとも第２のＭＲＲＦアンテナ装置を更に有してよい。これにより、例えば腎臓撮像用といった腹部領域の上部に対して、高い信号対雑音比を有するＭＲ信号が、対象者に対するＭＲＲＦアンテナの位置決めの改善された繰返し性及び再現性と共に得られると同時に、患者ベッドは操作者にとって使い易く、ＭＲＲＦアンテナのアプリケーションは対象者にとって快適であり、追加の固定装置を減少又は排除さえして速い患者固定を可能とする。
【００１９】
本発明の別の目的は、特に磁気共鳴誘導下の放射線治療中に、対象者の腹部領域を支えるための腹部支持部と、対象者が横臥方向に沿って横たわることの意図される当該横臥方向とを有する患者ベッドと共に用いるための磁気共鳴（ＭＲ）高周波（ＲＦ）アンテナ装置であって、相対する２つの側面を有するハウジング内に封入される少なくとも１つのＭＲＲＦアンテナを有し、患者ベッドの上面で患者ベッド中心領域内に配置可能な、ＭＲＲＦアンテナ装置を提供することである。これにより、高い信号対雑音比を有するＭＲ信号が得られ得ると同時に、簡易で速い態様で殺菌の必要条件が充たされ得、治療処置の高い患者スループットを達成するための効率的なワークフローを可能にする。
【００２０】
好ましくは、また、ＭＲ信号の大きな信号対雑音比を達成するために、ＭＲＲＦアンテナ装置のＭＲＲＦアンテナは、患者ベッドの横臥方向に対してハウジングの先頭の３分の１を包含するハウジングの部分内の位置に配置される。
【００２１】
好ましい実施形態では、少なくとも１つのＭＲＲＦアンテナは、第１の動作期間中に、ＲＦ電力を送信するために、及び、第１の動作期間とは異なる第２の動作期間中に、磁気共鳴撮像信号を受信するために提供される。これにより、ＭＲＲＦアンテナのコンパクトなデザインが達成され得、別々の送信及び受信ＭＲＲＦアンテナ間の相互結合によるＲＦ干渉を未然に防ぐことができる。
【００２２】
更に別の実施形態では、ＭＲＲＦアンテナ装置は、ハウジング内に封入される、少なくとも１つの磁気共鳴（ＭＲ）マーカを更に有する。ＭＲマーカは、簡易で正確な対象者と台との位置決め、及び位置の検証を可能とし得る。
【００２３】
更に別の実施形態では、ＭＲＲＦアンテナ装置は、ハウジングの外側に配置される、少なくとも１つの光学マーカを更に有する。これにより、患者台は、速いかつ信頼性のある態様で配置され得、ＭＲ放射線治療装置の座標系の相互の位置合わせが、直ちに検証され得る。このことは、ＭＲに基づく放射線治療計画及びシミュレーションに対して特に有利であり得る。好ましくは、少なくとも１つの光学マーカは、動作状態において患者ベッドの遠位にある、ＭＲＲＦアンテナ装置の上面に設置される。
【００２４】
患者ベッドの上面と平行な少なくとも１つの断層面内に、ＭＲＲＦアンテナ装置のハウジングは、横臥方向に伸長された楕円形の断面積を有してよい。これにより、対象者にとって高い程度の快適性を有する、自然な横臥位置が達成され得る。好ましくは、ハウジングは２を超える断面積のアスペクト比で、最も好ましくは３を超えるアスペクト比で、デザインされる。
【図面の簡単な説明】
【００２５】
本発明のこれらの及び他の態様は、以下に説明される実施形態から明らかであり、以下に説明される実施形態を参照することによって解明される。しかしながら、こうした実施形態は必ずしも本発明の完全な範囲を示すものではないが、したがって、本発明の範囲を解釈するために、請求項及び本明細書が参照される。
【００２６】
【図１】本発明の実施形態による患者ベッドの概略的な上面図を示す。
【図２】図１の実施形態に従った患者ベッドのＡ-Ａ´方向での概略的な断面図を示す。
【図３】図１の実施形態に従った患者ベッドのＢ-Ｂ´方向での概略的な断面図を示す。
【発明を実施するための形態】
【００２７】
図１は、本発明の実施形態による患者ベッドの概略的な上面図を示す。患者ベッドは、放射線治療の目的で電子又は中間子等の素粒子を加速させるための、線形加速器（ＬＩＮＡＣ）ユニットを有する放射線治療（ＲＴ）システムで用いられる。ＲＴシステムは、磁気共鳴（ＭＲ）撮像装置によって誘導される。こうしたＭＲ撮像ＲＴシステムは、従来技術からよく知られており、したがって本明細書では更に詳細に説明されない。患者ベッドの使用は、ＭＲ撮像ＲＴシステムに限定されるものと理解されるべきでなく、むしろ陽子ビーム、イオンビーム、集束超音波（ＦＵＳ）、又は衝撃波装置等の、治療目的のために電離放射線及び超音波エネルギのうちの少なくとも１つを使用する、他の治療装置と一体化されたＭＲ撮像システムにおけるアプリケーションを包含するものとする。
【００２８】
患者ベッドは、磁気共鳴誘導下の放射線治療中に、対象者１２の腹部領域１８を支えるための腹部支持部１４と、対象者１２が横臥方向に沿って横たわることの意図される当該横臥方向１０とを有する。更に、患者ベッドは、対象者の脚２２を下から支えるための２つの脚支持部１６と、各々が患者ベッド側方の各々に沿って患者ベッド横臥方向１０と平行に配置されている、棒状にデザインされた２つの固定部材２４とを有する。
【００２９】
横臥方向１０に対して横断方向の固定部材２４の位置は、調節され得る。この目的で、患者ベッドは、患者ベッドの各側方に配置される、ダクトとしてデザインされた第１誘導部材３４を備える。第１誘導部材３４の各々は、横臥方向１０に対して略垂直に延びる。レールとしてデザインされた第１連結部材３６が、上に患者が配置される患者ベッド上面２６に隣接する面で固定部材２４の各々に取り付けられ、第１誘導部材３４の対応する一方に沿った、固定部材２４各々が独立して横断方向に誘導される移動を可能とするために、第１誘導部材３４と係合するように提供される。第１連結部材３６は、ボール・ベアリング若しくはキャスタ又は当業者にとって適切と思われる任意の他の手段によって、第１誘導部材３４と係合してよい。
【００３０】
第１ロック装置３８は、固定部材２４の各々を、第１誘導部材３４の対応する一方での任意の横断位置でロックするために提供される。第１ロック装置３８は、第１誘導部材３４と係合し、操作者が固定部材２４に配置され得るボタンを押すことによって解除されることのできるブレーキパッドを有する、機械的ブレーキとしてデザインされてよい。原則として、当業者が適切と考える任意の他のロック機構が適用されてよい。
【００３１】
患者ベッドの上面２６で患者ベッド中心領域３０内に、コイルタイプの磁気共鳴（ＭＲ）高周波（ＲＦ）アンテナ５０と、横臥方向１０と略平行に延びる、相対する２つの側面５４を有するハウジング５２とを有する、磁気共鳴（ＭＲ）高周波（ＲＦ）アンテナ装置４８が配置される。中心領域は、患者台の長手遠端から離れて、患者ベッドの長手軸に対して配置される。ＭＲＲＦアンテナ５０は、ハウジング５２がＭＲＲＦアンテナ５０を完全に包含するように、ハウジング５２内に封入される。患者ベッドの上面２６と平行な断層面内に、ハウジング５２は、横臥方向１０に沿って伸長された、４より大きいアスペクト比を示す楕円形の断面積を有する。ＭＲＲＦアンテナ５０は、患者ベッドの横臥方向１０に対してハウジング５２の先頭の３分の１を包含するハウジングの部分内で、ハウジング５２の内部に配置される。ＭＲＲＦアンテナ５０は、第１の動作期間中に、ＲＦ電力を送信するために、及び、第１の動作期間とは異なる第２の動作期間中に、磁気共鳴撮像信号を受信するために提供される。第１の時間期間でＲＦ電力をＭＲＲＦアンテナ５０に供給し、ＭＲＲＦアンテナ５０によって受け取られたＭＲＲＦ信号を信号処理ユニットに供給するために送信／受信スイッチを用いる方法は、従来技術においてよく知られており、したがって本明細書では更に詳細に説明されない。
【００３２】
患者ベッドは、レールとしてデザインされ、患者ベッドの腹部支持部１４に沿って配置され、患者ベッド横臥方向１０と略平行に、かつ患者ベッド下面２８と平行に延びる、第２誘導部材４０を具備する。キャスタとしてデザインされた第２連結部材４２が、ＭＲＲＦアンテナ装置４８に配置され、第２誘導部材４０に沿った、ＭＲＲＦアンテナ装置４８の誘導された移動を可能とするために、患者ベッド内の開口３２を通じて、第２誘導部材４０と係合するように提供される。第２誘導部材４０は、横臥方向１０と垂直な方向での貫通開口としてデザインされた、等距離に離間される複数のリセスを有する。ロック位置において、ポジティブロックを構築するリセスの１つと係合するように提供される、ばね入りボルト（示されていない）としてデザインされた固定部材を有する第２ロック装置４４が、ＭＲＲＦアンテナ装置４８に取り付けられる。ポジティブロックは、ＭＲＲＦアンテナ装置４８のハウジング５２の外側に提供されるハンドル（示されていない）で、ばね入りボルトのばね力に抗してボルトを引き抜くことによって、解除され得る。
【００３３】
横臥方向１０に沿って患者ベッド上に横たわる間、対象者１２は、腹部領域１８では腹部支持部１４によって、両足２２では２つの脚支持部１６によって、支えられる。実際には、対象者１２は、明瞭化の目的で示されていない患者ベッドの背もたれ部によっても支えられる。
【００３４】
動作状態の準備において、ＭＲＲＦアンテナ装置４８の位置は、解除されたポジティブロックの状態で、横臥方向１０に対して先頭にあるＭＲＲＦアンテナ装置４８の部分が、対象者の会陰２０の近位にあるように、第２誘導部材４０に沿って調節される。この位置で、ポジティブロックはハンドルの解除によって再確立される。
【００３５】
次いで、対象者の脚２２は、ＭＲＲＦアンテナ装置４８の各側面５４が、対象者の脚２２の各々の内側の近位にあるように配置される。次いで、固定部材２４の第１ロック装置３８は、対応するボタンを押すことによって解除され、固定部材２４は、固定部材２４の各々が対象者の脚２２の一方の外側の近位にある動作状態まで、第１誘導部材４０に沿って対象者の脚２２に向かってシフトされる。この位置で、第１ロック装置３８は、固定部材２４を第１誘導部材３４でのこれらの位置でロックするために再係合される。したがって、ＭＲＲＦアンテナ５０が対象者の会陰２０と接近して配置される、対象者１２及びＭＲＲＦアンテナ５０の明確に規定された相対位置が、迅速かつ再現可能に確立され得る。同時に、対象者の位置は、固定部材２４によって、対象者１２にとって高い程度の快適性で固定され、また、更なる固定手段は取り除かれ得る。
【００３６】
ＭＲ撮像システムの座標系に対する患者ベッドの速いかつ信頼性のある位置合わせは、ＭＲＲＦアンテナ装置４８のハウジング５２の外側の、動作状態において患者ベッド上面２６の遠位にある上面に配置される、光学マーカ５６を使用することによって行われ得る。
【００３７】
動作状態において、ハウジング５２内に封入され、磁気共鳴活性の核種の量によって形成されるＭＲマーカ５８は、ＭＲ撮像誘導下のＲＴシステムのＲＦアンテナによって受け取られ得るＲＦ励起に際するＭＲＲＦ信号を提供し、これにより簡易かつ正確な、対象者と患者ベッドとの位置決め、及び位置の検証を可能にする。
【００３８】
更に、ハウジング５２内に放射線検出装置６０が封入される。放射線検出装置６０は、患者ベッドの横臥方向１０に対してハウジング５２の先頭の３分の１を包含するハウジング５２の部分内の位置に配置され、この結果、動作状態において、放射線検出装置６０は、対象者１２の内部の放射線被曝領域に近いが外側に配置される。放射線検出装置６０の出力ケーブル６２は、ＭＲ撮像誘導下のＲＴシステムの制御ユニット（示されていない）に放射強度に応じた信号を提供するために、ケーブル送りを介して通ってハウジング５２を出る。代替的に、放射強度に応じた信号は、無線の態様で制御ユニットに伝達されてもよい。当業者は、このための装置及び方法に精通している。制御ユニットは、品質保証の目的のために、また、制御ユニットのメモリ内に記憶されている所定の計画データからの逸脱の検出のために、既知の場所での漂遊放射線量を決定するために信号を経時的に積分するように提供される。
【００３９】
患者ベッドは、第１のＭＲＲＦアンテナ装置４８内のものと同一のＭＲＲＦアンテナ５０´、５０´´を有する、第２のＭＲＲＦアンテナ装置４８´、４８´´を有する。第２のＭＲＲＦアンテナ装置４８´、４８´´は、図１で破線によって示されるように、固定部材２４´、２４´´の一方と一体に形成されたハウジング５２´、５２´´内に封入される。第２のＭＲＲＦアンテナ装置４８´、４８´´は、対象者に対するＭＲＲＦアンテナの位置決めの改善された繰返し性及び再現性を有する、簡易な対象者の固定、かつ、対象者の腎臓のＭＲ撮像に対する高い信号対雑音比を可能にする。
【００４０】
本発明は、図面及び前述の説明において詳細に例示され説明されたが、こうした例示や説明は、例示的又は典型的であると考えられるべきであり、限定と考えられるべきではなく、本発明は、開示された実施形態に限定されない。当業者によって、特許請求された発明を実施するにあたり、図面、明細書、及び添付の請求項の研究から、開示された実施形態の他のバリエーションが理解され達成されることができる。請求項で、「有する」の文言は他の要素やステップを除外するものではなく、不定冠詞「ａ」又は「ａｎ」は複数を除外するものではない。特定の手段が、相互に異なる従属請求項に記載されているという単なる事実は、これらの手段の組み合わせを有利に使用できないことを意味するわけではない。請求項のいかなる参照符号も範囲を限定するものとして解釈されるべきではない。
【符号の説明】
【００４１】
１０  横臥方向
１２  対象者
１４  腹部支持部
１６  脚支持部
１８  腹部領域
２０  会陰
２２  脚
２４  固定部材
２６  患者ベッド上面
２８  患者ベッド下面
３０  患者ベッド中心領域
３２  患者ベッド開口
３４  第１誘導部材
３６  第１連結部材
３８  第１ロック装置
４０  第２誘導部材
４２  第２連結部材
４４  第２ロック装置
４６  リセス
４８  ＭＲＲＦアンテナ装置
５０  ＭＲＲＦアンテナ
５２  ハウジング
５４  側面
５６  光学マーカ
５８  ＭＲマーカ
６０  放射線検出装置
６２  出力ケーブル
【図１】
0005791856.tif 000002
【図２】
0005791856.tif 000003
【図３】
0005791856.tif 000004